(57)【要約】【課題】ワンタッチキー押下で割当て可能なチャンネル一覧を表示・選択し、当該ワンタッチキーを割当てる【解決手段】携帯端末装置１００は、選局制御部１０６と割当て可能チャンネル検出部１０７および割当て可能チャンネル一覧選択部１０９を備える。チャンネル未割当てのワンタッチキー番号が入力されたときに、選局制御部１０６、割当て可能チャンネル検出部１０７において、デフォルト値０以外の枝番号の付与された放送チャンネルを検出し、割当て可能チャンネル一覧選択部１０９にてそのチャンネル一覧を表示し、ユーザが選択したチャンネルについて当該ワンタッチキー番号を割当てる。【選択図】図１
2007150391.tif 000002
【特許請求の範囲】
【請求項１】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、
前記操作手段が操作されるのに応じて、前記選局手段による選局を切り換える制御手段と、を備え、
前記操作部材のうち少なくとも１つは、１又は複数の放送チャンネルの選局を指示できるよう設定され、
前記制御手段は、前記操作部材のうち少なくとも１つが複数の放送チャンネルの選局を指示できるよう設定されている場合、前記複数の放送チャンネルが割り当てられた操作部材が操作されるのに応じて、
前記操作部材に割り当てられた複数の放送チャンネルを順次選局するよう前記選局手段を制御すると共に、
前記操作部材に割り当てられた複数の放送チャンネルのうちのいずれかを前記操作手段の他の操作部材に割り当て可能かどうかを検出し、割り当て可能の場合、割り当て可能な操作部材を示す情報を表示するよう制御する、
放送受信装置。
【請求項２】
前記制御手段は、前記他の操作部材に前記複数の放送チャンネルのうちのいずれかを割り当てるかどうかについてユーザによる選択を受け付ける、
請求項１に記載の放送受信装置。
【請求項３】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、
前記操作手段が操作されるのに応じて、前記選局手段による選局を切り換える制御手段と、を備え、
前記操作部材のうち少なくとも１つは、１又は複数の放送チャンネルの選局を指示できるよう設定され、
前記制御手段は、前記操作部材のうち少なくとも１つが複数の放送チャンネルの選局を指示できるよう設定されている場合、
前記複数の放送チャンネルが割り当てられた操作部材が操作されるのに応じて、前記操作部材に割り当てられた複数の放送チャンネルを順次選局するよう前記選局手段を制御すると共に、
前記操作手段の複数の操作部材のうち放送チャンネルがいずれも割り当てられていない操作部材が操作されるのに応じて、その操作部材に１つの操作部材に割り当てられた複数の放送チャンネルのうち少なくとも１つを割り当て可能である旨を表示するよう制御する、
放送受信装置。
【請求項４】
前記制御手段は、前記放送チャンネルがいずれも割り当てられていない操作部材に前記複数の放送チャンネルのうちのいずれかを割り当てるかどうかについてユーザによる選択を受け付ける、
請求項３に記載の放送受信装置。
【請求項５】
前記制御手段は、前記割り当て可能であるとして表示した操作部材が操作されるのに応じて、その操作部材に前記受信手段で現在受信中の放送チャンネルを割り当てるよう制御する、
請求項１又は３に記載の放送受信装置。
【請求項６】
前記制御手段は、前記複数の放送チャンネルが割り当てられた操作部材が操作されるのに応じて、前記受信手段で現在受信中の放送チャンネルを前記操作部材に割当てるよう制御する、
請求項１又は３に記載の放送受信装置。
【請求項７】
前記制御手段は、前記操作部材のうち少なくとも１つが複数の放送チャンネルの選局を指示できるよう設定されている場合、前記操作部材に割り当てられている複数の放送チャンネルのそれぞれについて異なる枝番号を付与することにより、前記複数の放送チャンネルが割り当てられた操作部材の操作による前記選局手段の選局を制御する、
請求項１〜６のいずれかに記載の放送受信装置。
【請求項８】
前記制御手段は、前記割り当て可能な放送チャンネルを、各放送チャンネルの枝番号が若い順に表示するよう制御する、
請求項７に記載の放送受信装置。
【請求項９】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、を備える放送受信装置の制御方法であって、
前記操作部材のうち少なくとも１つは、１又は複数の放送チャンネルの選局を指示できるよう設定し、
前記操作部材のうち少なくとも１つが複数の放送チャンネルの選局を指示できるよう設定されている場合、
前記複数の放送チャンネルが割り当てられた操作部材が操作されるのに応じて、前記操作部材に割り当てられた複数の放送チャンネルを順次選局するよう前記選局手段を制御し、前記操作部材に割り当てられた複数の放送チャンネルのうちのいずれかを前記操作手段の他の操作部材に割り当て可能かどうかを検出し、割り当て可能の場合、割り当て可能な操作部材を示す情報を表示するよう制御する、
放送受信装置の制御方法。
【請求項１０】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、を備える放送受信装置を制御するための制御プログラムであって、
前記操作部材のうち少なくとも１つは、１又は複数の放送チャンネルの選局を指示できるよう設定し、
前記操作部材のうち少なくとも１つが複数の放送チャンネルの選局を指示できるよう設定されている場合、
前記複数の放送チャンネルが割り当てられた操作部材が操作されるのに応じて、前記操作部材に割り当てられた複数の放送チャンネルを順次選局するよう前記選局手段を制御し、前記操作部材に割り当てられた複数の放送チャンネルのうちのいずれかを前記操作手段の他の操作部材に割り当て可能かどうかを検出し、割り当て可能の場合、割り当て可能な操作部材を示す情報を表示するよう制御するための制御プログラム。
【発明の詳細な説明】
【技術分野】
【０００１】
本発明は、放送を受信する放送受信装置に関し、特に、チャンネルの選局制御技術に関する。
【背景技術】
【０００２】
２００３年から地上デジタル放送が開始され、放送のデジタル化が進みつつある。また、２００６年からは携帯端末向けの地上デジタル放送が開始される。
地上デジタル放送では、各都道府県において域内の放送局ごとに３桁のチャンネル番号が割当てられる。域内ではこのチャンネル番号が重複することはないが、地域外ではこの限りではなく、チャンネル番号が重複する場合がある。したがって、複数の地域の放送を受信できる場合、域内および域外の同一チャンネル番号の複数の放送局からの放送を受信する場合がある。受信機において、これらを区別するために、同一チャンネル番号の複数の放送局を枝番号によって区別し、３桁のチャンネル番号にさらに枝番号として１桁を付与し、４桁のチャンネル番号として管理する。この場合、ユーザはそれぞれの放送チャンネルを選局するために、４桁の番号をリモコンなどにより入力することとなる。
【０００３】
また、地上デジタル放送では、リモコンなどの数字キーをワンタッチで入力して選局することを可能にするために、ワンタッチキー番号情報が映像音声とともに放送されているが、このワンタッチキー番号情報は上記のチャンネル番号を構成する情報の一部であり、チャンネル番号同様に複数の放送局からの放送で重複する場合がある。
【０００４】
特許文献１では、ワンタッチキー番号が重複して枝番号が付与された放送チャンネルについて、枝番号がデフォルト値でない放送チャンネル（域外の放送チャンネル）については、まだどの放送チャンネルとも対応付けられていないワンタッチキー番号に割当てる方法を提案している。
【特許文献１】特開２００４−３６３８１９号公報
【発明の開示】
【発明が解決しようとする課題】
【０００５】
特許文献１の発明では、枝番号がデフォルトでない放送チャンネル（域外の放送チャンネル）が自動的に未割当てのワンタッチキー番号に割当てられるため、ユーザからはどのボタンに割振られるかがわからない。そのため、ユーザが意図しないワンタッチキー番号に割当てられる可能性があり、利便性が低下する。
【０００６】
そのために、アナログテレビのように、受信可能な放送局を一覧表示し、ユーザにワンタッチキーを明示的に割当てさせる方法も考えられるが、煩雑である。
【０００７】
本発明は、これらの課題を鑑みてなされたものであり、特にワンタッチキー番号が重複する複数の放送チャンネルにおいて、ユーザが放送チャンネルに対してワンタッチキー番号への割当てを容易な操作で可能にする放送受信装置を提供することを目的とする。
【課題を解決するための手段】
【０００８】
上記の目的を達成するために、第１の発明にかかる放送受信装置は、複数の放送チャンネルの放送波を受信する受信手段と、受信した複数の放送チャンネルの放送波の中からいずれかを選局する選局手段と、選局手段における放送チャンネルの選局についての指示を受け付け、少なくとも１つの操作部材で構成される操作手段と、操作手段が操作されるのに応じて、選局手段による選局を切り換える制御手段と、を備え、操作部材のうち少なくとも１つは、１又は複数の放送チャンネルの選局を指示できるよう設定され、制御手段は、操作部材のうち少なくとも１つが複数の放送チャンネルの選局を指示できるよう設定されている場合、複数の放送チャンネルが割り当てられた操作部材が操作されるのに応じて、操作部材に割り当てられた複数の放送チャンネルを順次選局するよう選局手段を制御すると共に、操作部材に割り当てられた複数の放送チャンネルのうちのいずれかを操作手段の他の操作部材に割り当て可能かどうかを検出し、割り当て可能の場合、割り当て可能な操作部材を示す情報を表示するよう制御する。
【０００９】
また、第２の発明にかかる放送受信装置は、複数の放送チャンネルの放送波を受信する受信手段と、受信した複数の放送チャンネルの放送波の中からいずれかを選局する選局手段と、選局手段における放送チャンネルの選局についての指示を受け付け、少なくとも１つの操作部材で構成される操作手段と、操作手段が操作されるのに応じて、選局手段による選局を切り換える制御手段と、を備え、操作部材のうち少なくとも１つは、１又は複数の放送チャンネルの選局を指示できるよう設定され、制御手段は、操作部材のうち少なくとも１つが複数の放送チャンネルの選局を指示できるよう設定されている場合、複数の放送チャンネルが割り当てられた操作部材が操作されるのに応じて、操作部材に割り当てられた複数の放送チャンネルを順次選局するよう選局手段を制御すると共に、操作手段の複数の操作部材のうち放送チャンネルがいずれも割り当てられていない操作部材が操作されるのに応じて、その操作部材に１つの操作部材に割り当てられた複数の放送チャンネルのうち少なくとも１つを割り当て可能である旨を表示するよう制御する。
【発明の効果】
【００１０】
以上のように、本発明によれば、ユーザが少ない操作で、本来割当てたいワンタッチキー番号を好きな放送チャンネルに割当てることが可能となり、操作性が向上する。
【００１１】
また、特許文献１に比べて、ユーザの意図と反した放送チャンネルがワンタッチキー番号に割当てられることもなく、利便性が高い。
【発明を実施するための最良の形態】
【００１２】
（実施の形態１）
１．構成
以下本発明の実施の形態１について、図１〜８を用いて説明する。
【００１３】
１．１．携帯端末装置１００の構成
図１を用いて本発明の実施の形態１を詳細に説明する。図１は本発明の一形態である携帯端末装置１００の構成を示すブロック図である。
【００１４】
図１において、携帯端末装置１００は、チューナー１０１、ユーザ入力部１０２、デマルチプレクサ１０３、ＡＶデコーダ１０４、出力部１０５、選局制御部１０６、割当て可能チャンネル検出部１０７、チャンネル情報管理部１０８、割当て可能チャンネル一覧選択部１０９から構成される。
【００１５】
チューナー１０１は、選局制御部１０６から指定された放送周波数に選局し、放送ネットワークからデジタル放送信号を受信し、デマルチプレクサ１０３に出力する。デジタル放送信号は主に映像音声データと、放送局や番組情報などが記述されたＳＩ情報を含む。
【００１６】
ユーザ入力部１０２は、リモコンやキーボードなどの入力を受け付け、選局制御部１０６に出力する。本実施例では、ユーザ入力部１０２においてユーザがワンタッチキー番号としての数字キーを入力することとする。
【００１７】
デマルチプレクサ１０３は、選局制御部１０６からの指示に従って、チューナー１０１が受信したデジタル放送信号から映像音声とデータのパケットを分離し、それぞれＡＶデコーダ１０４およびチャンネル情報管理部１０８に出力する。
【００１８】
ＡＶデコーダ１０４は、デマルチプレクサ１０３にて分離された映像音声データをデコードし、映像音声を出力部１０５に出力する。
【００１９】
出力部１０５は、映像音声を画面およびスピーカーに出力する。
【００２０】
選局制御部１０６は、ユーザ入力部１０２からリモコンの入力情報（ワンタッチキー番号）を受け、その入力内容に対応したチャンネル情報をチャンネル情報管理部１０８から取得し、その内容にしたがってチューナー１０１およびデマルチプレクサ１０３に対して受信、分離すべき映像音声およびＳＩ情報を指定する。選局制御部１０６は現在選局中のチャンネル情報のチャンネル番号、ワンタッチキー番号および枝番号を保持する。また、選局制御部１０６は、当該ワンタッチキー番号がどの放送チャンネルにも割当てられていない場合、割当て可能チャンネル検出部１０７に対して、当該ワンタッチキー番号に割当て可能な放送チャンネルの検出を指示する。
【００２１】
割当て可能チャンネル検出部１０７は、選局制御部１０６から、放送チャンネルが未割当のワンタッチキー番号に対して割当て可能な放送チャンネルの検出指示を受け、チャンネル情報管理部１０８に対して、枝番号がデフォルト値０でないチャンネル情報の検索を指示し、検索結果のチャンネル情報を受け取り、当該ワンタッチキー番号とともに、割当て可能チャンネル一覧選択部１０９に出力する。
【００２２】
チャンネル情報管理部１０８は、デマルチプレクサ１０３にて分離されたＳＩ情報を受け取り、その中からチャンネル情報を抽出し、複数のチャンネル情報を束ねてチャンネル情報テーブル２００として保持、管理する。チャンネル情報管理部１０８は、選局制御部１０６や割当て可能チャンネル検出部１０７からの要求にしたがって、指定されたワンタッチキー番号に対応するチャンネル情報や、枝番号について条件を満たすチャンネル情報を検索および出力する。また、チャンネル情報管理部１０８は、割当て可能チャンネル一覧選択部１０９から、チャンネル情報とワンタッチキー番号を受け取り、チャンネル情報テーブル２００の当該チャンネル情報の部分のワンタッチキー番号を変更する。
【００２３】
割当て可能チャンネル一覧選択部１０９は、割当て可能チャンネル検出部１０７から受けたチャンネル情報を枝番号の若い順に画面に表示し、ユーザによって選択されたチャンネル情報の放送チャンネルと、当該ワンタッチキー番号を、チャンネル情報管理部１０８に出力して、この放送チャンネルを当該ワンタッチキー番号に対応付けさせる。
【００２４】
携帯端末装置１００は本発明の放送受信装置の一例であり、携帯端末装置に限定するものではなく、携帯電話でも、携帯テレビでも、カーナビゲーションでも、ＤＶＤ装置でも、小型ゲーム機でもよく、デジタル放送を受信する装置であれば、それに限定されるものではない。
【００２５】
チューナー１０１は本発明のデータを入力する手段の一例であり、本実施例における放送を受信するチューナーだけでなく、通信回線や電話回線などのネットワークアダプタやモデム、ＨＤＤやＤＶＤ、メモリカードなどの蓄積デバイスと接続し、蓄積デバイスのデジタル放送信号を受信するようにしてもよく、それによって制限されるものではない。
【００２６】
デマルチプレクサ１０３は、本発明のデジタル放送信号を分離する手段の一例であり、本実施におけるストリームを分離するトランスポートデコーダなどでの実現が想定されるが、それに制限されるものではない。
【００２７】
ＡＶデコーダ１０４は、本発明の映像音声データをデコードする手段の一例であり、ＭＰＥＧデコードＬＳＩなどが想定されるが、それに限定されるものではなく、ソフトウェアプログラムにて実現してもよい。
【００２８】
選局制御部１０６、割当て可能チャンネル検出部１０７、チャンネル情報管理部１０８および割当て可能チャンネル一覧選択部１０９はプログラムまたはプログラムを記録した記録媒体または当該プログラムを書き込んだプロセッサなどでの実現が想定されるが、それに制限されるものではない。
【００２９】
１．２．データおよびテーブルの構成
１．２．１．チャンネル情報管理部１０８が保持するチャンネル情報テーブル２００の構成
チャンネル情報管理部１０８が保持するチャンネル情報テーブル２００の例を図２に示す。本実施の形態ではチャンネル情報テーブル２００は、本発明の携帯端末装置１００において受信可能である複数の放送チャンネルのチャンネル情報３００によって構成される。チャンネル情報３００は各放送チャンネルで送られるデジタル放送信号に含まれるＳＩ情報から得られるため、デジタル放送信号を受信することにより取得することができる。
【００３０】
各放送チャンネルのチャンネル情報３００はチャンネル番号、ワンタッチキー番号、枝番号、放送局名で構成される。
【００３１】
図２の例において、放送局名ＡＡＡテレビは、チャンネル番号が０１１、ワンタッチキー番号が１、枝番号が０であることを示し、放送局ＢＢＢテレビはチャンネル番号が０１１、ワンタッチキー番号が１、枝番号が１であることを示し、放送局ＣＣＣテレビはチャンネル番号が０１１、ワンタッチキー番号が１、枝番号２であることを示し、放送局ＤＤＤテレビはチャンネル番号が０４１、ワンタッチキー番号が４、枝番号なしであることを示す。
【００３２】
枝番号はチャンネル番号およびワンタッチキー番号が同一の場合に、それらを区別するためにそれぞれ０以上の値をユニークに付与する。重複のないＤＤＤテレビ、ＥＥＥテレビ、ＦＦＦテレビおよびＧＧＧテレビには枝番号は付与しない。
【００３３】
２．動作
２．１．本発明の携帯端末装置１００のチャンネル情報テーブル作成動作の説明
以下、図３を用いて、本発明の携帯端末装置１００による、チャンネル情報テーブルの作成動作を説明する。
【００３４】
図３は、本発明の携帯端末装置１００において、ユーザがリモコン操作によって本携帯端末装置１００が受信可能な放送チャンネルを検索する機能（以下、チャンネルスキャン機能）を呼び出してから、全チャンネルを選局して受信可能な放送チャンネルを検出して、チャンネル情報テーブルを作成する動作の流れを示したフローチャートである。
【００３５】
ユーザ入力部１０２がチャンネルスキャン機能の呼び出しのキー入力を受け、選局制御部１０６にチャンネルスキャン機能の実行を指示する（Ｓ１００１）。
【００３６】
選局制御部１０６は、チャンネルスキャン機能実行指示を受け、チューナー１０１およびデマルチプレクサ１０３に対して、全放送周波数への選局、デジタル放送信号受信およびＳＩ情報の分離を指示する（Ｓ１００２）。
【００３７】
チューナー１０１およびデマルチプレクサ１０３にてデジタル放送信号を受信し、ＳＩ情報を分離して、チャンネル情報管理部１０８に出力する（Ｓ１００３）。
【００３８】
チャンネル情報管理部１０８において、受け取ったＳＩ情報からチャンネル情報を抽出する（Ｓ１００４）。そのチャンネル情報のワンタッチキー番号と同じ番号を持つチャンネル情報があるかどうかをチャンネル情報テーブルから検索する（Ｓ１００５）。
【００３９】
同一のワンタッチキー番号を持つチャンネル情報がチャンネル情報テーブルに存在しない場合、取得したチャンネル情報をそのままチャンネル情報テーブルに追加する（Ｓ１００６）。このとき、枝番号は付与しない。
【００４０】
同一のワンタッチキー番号を持つチャンネル情報がチャンネル情報テーブルに存在する場合、取得したチャンネル情報に対して、デフォルトの枝番号０を付与して、チャンネル情報テーブルに追加し、同一のワンタッチキー番号を持つ他の全てのチャンネル情報の枝番号を１加算する（Ｓ１００７）。
【００４１】
選局制御部１０６は、全ての放送周波数への選局を完了していない場合は、次の放送周波数への選局を指示するためにＳ１００２に戻る（Ｓ１００８）。全ての放送周波数への選局を完了した場合はチャンネルスキャン機能を終了する。
【００４２】
２．２．本発明の携帯端末装置１００の選局動作の流れの説明
以下、図４を用いて、本発明の携帯端末装置１００の選局動作およびワンタッチキー番号の割当て動作の流れを説明する。
【００４３】
図４は、本発明の携帯端末装置１００において、ユーザのリモコン入力（ワンタッチキー入力）の内容に対応するチャンネル情報を取得して、その情報に従って対応する放送チャンネルを選局し、映像音声出力するまでと、入力されたワンタッチキー番号がチャンネル情報に未割当ての場合のチャンネル情報への割当て動作の大まかな流れを示すフローチャートである。
【００４４】
ユーザ入力部１０２において、ワンタッチキー番号入力があった場合、それを選局制御部１０６に出力する（Ｓ２００１）。
【００４５】
選局制御部１０６において、ユーザ入力部１０２から受け取った、選局すべきワンタッチキー番号と、現在選局中のワンタッチキー番号、枝番号をチャンネル情報管理部１０８に渡す（Ｓ２００２）。
【００４６】
当該ワンタッチキー番号に対応するチャンネル情報が存在する場合（Ｓ２００３）、  チャンネル情報管理部１０８において、選局制御部１０６から受け取った、選局すべきワンタッチキー番号と選局中のワンタッチキー番号を比較する（Ｓ２００４）。
【００４７】
両ワンタッチキー番号が異なる場合、チャンネル情報管理部１０８は、選局すべきワンタッチキー番号に対応するチャンネル情報をチャンネル情報テーブルから抽出し、選局制御部１０６に出力する（Ｓ２００５）。当該ワンタッチキー番号に対応するチャンネル情報が複数存在する（すなわち枝番号が存在する）場合、デフォルトの枝番号０のチャンネル情報を抽出する。
【００４８】
両ワンタッチキー番号が同一の場合、チャンネル情報管理部１０８は、当該ワンタッチキー番号と、現在選局中の枝番号の次の枝番号のチャンネル情報を、チャンネル情報テーブル２００から抽出し、選局制御部１０６に出力する（Ｓ２００６）。次の枝番号とは、現在選局中の枝番号に１加算したものであり、チャンネル情報テーブル２００に存在する当該ワンタッチキー番号のチャンネル情報の枝番号の最大値を越えた場合には０に戻す。
【００４９】
選局制御部１０６において、チャンネル情報管理部１０８から取得したチャンネル情報をデマルチプレクサ１０３に出力して、当該チャンネルの選局に必要な映像音声およびＳＩ情報の分離を指示する。これにより、デマルチプレクサ１０３において分離された映像音声データはＡＶデコーダ１０４および出力部１０５にて映像音声のデコードおよび出力され、ＳＩ情報はチャンネル情報管理部に出力される（Ｓ２００７）。そして、再度キー入力を待つためにＳ２００１に戻る。
【００５０】
当該ワンタッチキー番号が割当てられたチャンネル情報がなかった場合（Ｓ２００３）、割当て可能チャンネル検出部１０７は、チャンネル情報管理部１０８に対して、デフォルト番号０でない枝番号が付与されているチャンネル情報を検索指示する（Ｓ２００８）。
【００５１】
チャンネル情報管理部１０８において、０以外の枝番号が付与されているチャンネル情報がない場合、当該ワンタッチキー番号は割当てられていない旨を表示し、選局を行わずにＳ２００１に戻る（Ｓ２００９）。
【００５２】
チャンネル情報が存在する場合、割当て可能チャンネル検出部１０７はそのチャンネル情報と当該ワンタッチキー番号を割当て可能チャンネル一覧選択部１０９に渡し、割当て可能チャンネル一覧選択部１０９において、受け取ったチャンネル情報を枝番号が若い順に並べて表示し、ユーザに選択させる（Ｓ２０１０）。
【００５３】
キー入力を待ち、チャンネルが選択されなかった場合（Ｓ２０１１）、当該ワンタッチキー番号は割当てられていない旨を表示し、選局を行わずにＳ２００１に戻る（Ｓ２００９）。
【００５４】
ユーザによってチャンネルが選択された場合、割当て可能チャンネル一覧選択部１０９は、ユーザが選択したチャンネル情報とワンタッチキー番号をチャンネル情報管理部１０８に渡し、チャンネル情報管理部１０８にて当該チャンネル情報のワンタッチキー番号を当該ワンタッチキー番号に置き換え、チャンネル情報テーブル２００に再登録する（Ｓ２０１２）。そして、当該チャンネル情報の放送チャンネルに選局するためにＳ２００７に移る。
【００５５】
まず、この選局動作について図２のチャンネル情報テーブル２００の例で説明する。
図２では、ワンタッチキー番号１のチャンネルが３つ存在し、それぞれ枝番号が付与されている。まずワンタッチキー番号１が押下された場合、デフォルトの枝番号０であるチャンネル（チャンネル番号０１１、放送局名ＡＡＡテレビ）が選局される。この状態で再度ワンタッチキー番号１が押下された場合には、枝番号１であるＢＢＢテレビが、さらに押下された場合には、枝番号２であるＣＣＣテレビが、そしてさらに押下された場合には、これ以上大きな枝番号がないのでデフォルトの枝番号０であるＡＡＡテレビに戻り、以下繰り返しである。そして、一旦他のワンタッチキー番号によって他のチャンネルに選局された後で、再度当該ワンタッチキー番号入力された場合は、再度デフォルトの枝番号０のチャンネルを選局する。
【００５６】
次にワンタッチキー番号の割当て動作例として、図５のチャンネル情報テーブルの状態において、未割当てのワンタッチキー番号３を押下した場合で説明する。
【００５７】
ワンタッチキー番号３はチャンネル情報テーブル２００に存在しないため、割当て可能チャンネル一覧選択部１０９は、チャンネル情報管理部１０８からデフォルト値０でない枝番号の付与されたチャンネル情報を取得する。この場合では、チャンネル番号０１１、ワンタッチキー番号１、枝番号１の放送チャンネル（放送局名ＢＢＢテレビ）と、チャンネル番号０１１、ワンタッチキー番号１、枝番号２の放送チャンネル（放送局名ＣＣＣテレビ）が該当する。
【００５８】
割当て可能チャンネル一覧選択部１０９は、この２つのチャンネル情報のうち、枝番号が若い方から順に表示するので、枝番号１のＢＢＢテレビ、枝番号２のＣＣＣテレビの順に割当て可能チャンネル一覧画面として表示する。その画面例を図６に示す。
【００５９】
ユーザが図６の割当て可能チャンネル一覧画面において、例えば枝番号２のＣＣＣテレビを選択した場合、当該チャンネル情報のワンタッチキー番号を３に割当てる。
【００６０】
よって、ＣＣＣテレビのチャンネル情報に対してワンタッチキー番号を割当てた後の、チャンネル情報管理部１０８が保持するチャンネル情報テーブルは図７のようになる。これ以降、ワンタッチキー番号３が入力された場合、枝番号２のＣＣＣテレビが選局されることになる。
【００６１】
以上のように本実施の形態１にかかる携帯端末装置１００は、アンテナと、チューナ１０１と、ユーザ入力部１０２と、選局制御部１０６と割当て可能チャンネル検出部１０７とチャンネル情報管理部１０８と割当て可能チャンネル一覧選択部１０９とを含む構成とを備える。なお、選局制御部１０６と割当て可能チャンネル検出部１０７とチャンネル情報管理部１０８と割当て可能チャンネル一覧選択部１０９とを含む構成は、本発明の制御手段の一例である。アンテナは、複数の放送チャンネルの放送波を受信する。チューナ１０１は、受信した複数の放送チャンネルの放送波の中からいずれかを選局する。ユーザ入力部１０２は、チューナ１０１における放送チャンネルの選局についての指示を受け付け、少なくとも１つの数字キーで構成される。制御手段は、ユーザ入力部１０２が操作されるのに応じて、チューナ１０１による選局を切り換える。数字キーのうち少なくとも１つは、１又は複数の放送チャンネルの選局を指示できるよう設定される。制御手段は、数字キーのうち少なくとも１つが複数の放送チャンネルの選局を指示できるよう設定されている場合、複数の放送チャンネルが割り当てられた数字キーが操作されるのに応じて、数字キーに割り当てられた複数の放送チャンネルを順次選局するようチューナ１０１を制御すると共に、数字キーに割り当てられた複数の放送チャンネルのうちのいずれかをユーザ入力部１０２の他の数字キーに割り当て可能かどうかを検出し、割り当て可能の場合、割り当て可能な数字キーを示す情報を表示するよう制御する。
【００６２】
なお、制御手段は、本実施の形態１に示すように、他の数字キーに複数の放送チャンネルのうちのいずれかを割り当てるかどうかについてユーザによる選択を受け付けてもよい。
【００６３】
また、制御手段は、本発明の実施の形態１に示すように、割り当て可能であるとして表示した数字キーが操作されるのに応じて、その数字キーにアンテナで現在受信中の放送チャンネルを割り当てるよう制御してもよい。
【００６４】
また、制御手段は、本実施の形態１に示すように、複数の放送チャンネルが割り当てられた数字キーが操作されるのに応じて、アンテナで現在受信中の放送チャンネルを数字キーに割当てるよう制御してもよい。
【００６５】
また、制御手段は、本実施の形態１に示すように、数字キーのうち少なくとも１つが複数の放送チャンネルの選局を指示できるよう設定されている場合、数字キーに割り当てられている複数の放送チャンネルのそれぞれについて異なる枝番号を付与することにより、複数の放送チャンネルが割り当てられた数字キーの操作によるチューナ１０１の選局を制御してもよい。
【００６６】
また、制御手段は、本実施の形態１に示すように、割り当て可能な放送チャンネルを、各放送チャンネルの枝番号が若い順に表示するよう制御してもよい。
【００６７】
なお、本実施例において、チャンネル情報テーブル２００において放送チャンネルに割当てられていないワンタッチキー番号が入力された場合に、割当て可能チャンネル一覧画面を表示して、チャンネルを選択して、当該チャンネルにワンタッチキー番号を割当てているが、すでにいずれかの放送チャンネルに割当てられたワンタッチキー番号が押下された場合にも、割当て可能チャンネル一覧画面によるワンタッチキー番号の再割当てを行ってもよい。
【００６８】
なお、ワンタッチキー番号入力については、通常の選局と区別するために、長押しの場合や、ダブルクリックの場合のみに、割当て可能チャンネル一覧画面によるワンタッチキー番号の再割当てを行ってもよい。
【００６９】
なお、割当て可能チャンネル一覧として、デフォルトの枝番号０を持つチャンネルや、枝番号を持たないチャンネルを、割当て可能の候補として扱い、それらが選択された場合に、それらのチャンネル情報のワンタッチキー番号割当てを変更してもよい。また、この場合、それらのチャンネル情報が元々割当てられていたワンタッチキー番号が未割当てになるので、さらに割当て可能チャンネル一覧から当該ワンタッチキー番号に割当てるチャンネル情報を選択して、そのチャンネルに当該ワンタッチキー番号を割当てるようにしてもよい。
【００７０】
なお、割当て可能チャンネル一覧として選局回数が多い順に並べてもよいし、最も直近に選局されたチャンネル順に並べてもよい。
【００７１】
（実施の形態２）
１．構成
以下本発明の実施の形態２について、図８〜１０を用いて説明する。
【００７２】
１．２．携帯端末装置１００の構成
本発明の実施の形態２について、実施の形態１との差分のみを説明する。
実施の形態２は実施の形態１の一例である携帯端末装置１００の構成と同じであり、図１で示されるため省略する。なお、チャンネル情報管理部１０８が保持するチャンネル情報テーブル２００も実施の形態１と同じであるので説明を省略する。以下、各処理部において実施の形態１と機能が異なる部分のみを説明する。なお、実施の形態１に以下の差分を追加して実装してもよい。
【００７３】
実施の形態２における選局制御部１０６は、ユーザ入力部１０２からリモコンの入力情報（ワンタッチキー番号）を受け、その入力内容に対応したチャンネル情報をチャンネル情報管理部１０８から取得し、その内容にしたがってチューナー１０１およびデマルチプレクサ１０３に対して受信、分離すべき映像音声およびＳＩ情報を指定する。選局制御部１０６は現在選局中のチャンネル情報のチャンネル番号、ワンタッチキー番号および枝番号を保持する。また、選局制御部１０６は、現在選局中のチャンネルにデフォルト値０以外の枝番号が付与され、かつ、当該ワンタッチキー番号がどの放送チャンネルにも割当てられていない場合、割当て可能チャンネル検出部１０７に対して、当該チャンネル情報と当該ワンタッチキー番号を出力する。
【００７４】
割当て可能チャンネル検出部１０７は、選局制御部１０６から、放送チャンネルが未割当のワンタッチキー番号に対して割当て可能な放送チャンネルの検出指示を受け、チャンネル情報管理部１０８に対して、ワンタッチキー番号とチャンネル情報を出力し、当該チャンネル情報に対して当該ワンタッチキー番号を割当てさせる。
【００７５】
２．動作
本発明の携帯端末装置１００の動作について説明するが、チャンネル情報テーブルの作成動作と選局動作については実施の形態１と同じであるため、説明を省略する。
【００７６】
２．１．本発明の携帯端末装置１００のワンタッチキー番号の割当て動作の説明
以下、図を用いて、本発明の実施の形態２の携帯端末装置１００による、ワンタッチキー番号の割当て動作を説明する。
【００７７】
図８は、ワンタッチキー番号入力による本装置の選局動作および、枝番号がデフォルト値０でない放送チャンネルが選局された状態において、未割当てのワンタッチキー番号が入力された場合において、選局制御部１０６、割当て可能チャンネル検出部１０７およびチャンネル情報管理部１０８において、当該放送チャンネルを当該ワンタッチキー番号に割当てる動作の流れを示したフローチャートである。
【００７８】
ユーザ入力部１０２において、ワンタッチキー番号入力があった場合、それを選局制御部１０６に出力する（Ｓ３００１）。
【００７９】
選局制御部１０６において、ユーザ入力部１０２から受け取った、選局すべきワンタッチキー番号と、現在選局中のワンタッチキー番号、枝番号をチャンネル情報管理部１０８に渡す（Ｓ３００２）。
【００８０】
当該ワンタッチキー番号に対応するチャンネル情報が存在する場合（Ｓ３００３）、  チャンネル情報管理部１０８において、選局制御部１０６から受け取った、選局すべきワンタッチキー番号と選局中のワンタッチキー番号を比較する（Ｓ３００４）。
【００８１】
両ワンタッチキー番号が異なる場合、チャンネル情報管理部１０８は、選局すべきワンタッチキー番号に対応するチャンネル情報をチャンネル情報テーブルから抽出し、選局制御部１０６に出力する（Ｓ３００５）。当該ワンタッチキー番号に対応するチャンネル情報が複数存在する（すなわち枝番号が存在する）場合、デフォルトの枝番号０のチャンネル情報を抽出する。
【００８２】
両ワンタッチキー番号が同一の場合、チャンネル情報管理部１０８は、当該ワンタッチキー番号と、現在選局中の枝番号の次の枝番号のチャンネル情報を、チャンネル情報テーブル２００から抽出し、選局制御部１０６に出力する（Ｓ３００６）。次の枝番号とは、現在選局中の枝番号に１加算したものであり、チャンネル情報テーブル２００に存在する当該ワンタッチキー番号のチャンネル情報の枝番号の最大値を越えた場合には０に戻す。
【００８３】
選局制御部１０６において、チャンネル情報管理部１０８から取得したチャンネル情報をデマルチプレクサ１０３に出力して、当該チャンネルの選局に必要な映像音声およびＳＩ情報の分離を指示する。これにより、デマルチプレクサ１０３において分離された映像音声データはＡＶデコーダ１０４および出力部１０５にて映像音声のデコードおよび出力され、ＳＩ情報はチャンネル情報管理部に出力される（Ｓ３００７）。そして、再度キー入力を待つためにＳ３００１に戻る。
【００８４】
当該ワンタッチキー番号が割当てられたチャンネル情報がなかった場合、選局制御部１０６は、現在選局中のチャンネル情報の枝番号を確認する（Ｓ３００８）。
【００８５】
もしも現在選局中の放送チャンネルのチャンネル情報に枝番号が振られていない、またはデフォルトの枝番号０である場合には、当該ワンタッチキー番号が放送チャンネルに未割当てのため選局不可であることをユーザに通知し（Ｓ３００９）、Ｓ３００１に戻る。この場合、新たな選局処理は行わない。
【００８６】
現在選局中の放送チャンネルのチャンネル情報にデフォルト値０でない枝番号が割振られていた場合、選局制御部１０６は割当て可能チャンネル検出部１０７に対して、現在選局中のチャンネル情報とワンタッチキー番号を渡して当該ワンタッチキー番号の割当てを指示し、割当て可能チャンネル検出部１０７は、現在選局中のチャンネル情報のワンタッチキー番号情報を、受け取ったワンタッチキー番号に変更して、チャンネル情報テーブル２００を更新し（Ｓ３０１０）、Ｓ３００１に戻る。この場合、新たな選局処理は行わない。
【００８７】
Ｓ３００８からのワンタッチキー番号の割当ての動作例として、図９のチャンネル情報テーブル２００の状態において、チャンネル番号０１１、枝番号２の放送チャンネル（放送局名ＣＣＣテレビ）を選局中に、未割当てのワンタッチキー番号３を押下した場合で説明する。
【００８８】
ワンタッチキー番号３はチャンネル情報テーブル２００に存在せず、選局中のチャンネルが枝番号２でデフォルト値０でないため、選局制御部１０６および割当て可能チャンネル検出部１０７は、チャンネル番号０１１、枝番号２の放送チャンネル（放送局名ＣＣＣテレビ）に対して、ワンタッチキー番号３を割当てる。よって、この場合に最終的にチャンネル情報管理部１０８が保持するチャンネル情報テーブル２００を図１０に示す。これ以降は、ワンタッチキー番号３が押下された場合には、チャンネル番号０１１、枝番号２の放送チャンネル（放送局名ＣＣＣテレビ）が選局されることになる。
【００８９】
以上のように本実施の形態２にかかる携帯端末装置１００は、アンテナと、チューナ１０１と、ユーザ入力部１０２と、制御手段とを備える。アンテナは、複数の放送チャンネルの放送波を受信する。チューナ１０１は、受信した複数の放送チャンネルの放送波の中からいずれかを選局する。ユーザ入力部１０２は、チューナ１０１における放送チャンネルの選局についての指示を受け付け、少なくとも１つの数字キーで構成される。制御手段は、ユーザ入力部１０２が操作されるのに応じて、チューナ１０１による選局を切り換える。数字キーのうち少なくとも１つは、１又は複数の放送チャンネルの選局を指示できるよう設定される。制御手段は、数字キーのうち少なくとも１つが複数の放送チャンネルの選局を指示できるよう設定されている場合、複数の放送チャンネルが割り当てられた数字キーが操作されるのに応じて、数字キーに割り当てられた複数の放送チャンネルを順次選局するようチューナ１０１を制御すると共に、ユーザ入力部１０２の複数の数字キーのうち放送チャンネルがいずれも割り当てられていない数字キーが操作されるのに応じて、その数字キーに１つの数字キーに割り当てられた複数の放送チャンネルのうち少なくとも１つを割り当て可能である旨を表示するよう制御する。
【００９０】
なお、制御手段は、本実施の形態２に示すように、放送チャンネルがいずれも割り当てられていない数字キーに複数の放送チャンネルのうちのいずれかを割り当てるかどうかについてユーザによる選択を受け付けるようにしてもよい。
【００９１】
また、制御手段は、本実施の形態１と同様に、割り当て可能であるとして表示した数字キーが操作されるのに応じて、その数字キーにアンテナで現在受信中の放送チャンネルを割り当てるよう制御してもよい。
【００９２】
また、制御手段は、本実施の形態１と同様に、複数の放送チャンネルが割り当てられた数字キーが操作されるのに応じて、アンテナで現在受信中の放送チャンネルを数字キーに割当てるよう制御してもよい。
【００９３】
また、制御手段は、本実施の形態１と同様に、数字キーのうち少なくとも１つが複数の放送チャンネルの選局を指示できるよう設定されている場合、数字キーに割り当てられている複数の放送チャンネルのそれぞれについて異なる枝番号を付与することにより、複数の放送チャンネルが割り当てられた数字キーの操作によるチューナ１０１の選局を制御してもよい。
【００９４】
また、制御手段は、本実施の形態１と同様に、割り当て可能な放送チャンネルを、各放送チャンネルの枝番号が若い順に表示するよう制御してもよい。
【００９５】
なお、本実施例において、放送チャンネルが未割当てのワンタッチキー番号ボタンが押下された場合に、選局中の放送チャンネルに当該ワンタッチキー番号を割当てているが、すでに割当て済みのワンタッチキー番号が押下された場合に、当該ワンタッチキー番号の割当てを変更するようにしてもよいし、選局中の放送チャンネルの枝番号がデフォルトでないチャンネルにおいても、枝番号が付与されていないチャンネルにおいても、当該ワンタッチキー番号の割当てをしてもよい。
【００９６】
なお、ワンタッチキー番号を選局中の放送チャンネルに割当てるかどうか、ユーザに確認する画面を表示し、ユーザが許可した場合のみ割当てるようにしてもよい。
【００９７】
なお、このワンタッチキー番号の割当ての条件として、ワンタッチキー番号の押し方を通常の選局と区別するために、長押しの場合やダブルクリックの場合にしてもよい。
【００９８】
なお、アンテナは、本発明の受信手段の一例である。チューナ１０１は、本発明の選局手段の一例である。ユーザ入力部１０２は、本発明の操作手段の一例である。数字キーは、本発明の操作部材の一例である。
【産業上の利用可能性】
【００９９】
本発明にかかる放送受信装置は、放送を受信し表示する装置であって、チャンネル番号やワンタッチキー番号が同一の複数の放送チャンネルを選局する機能を有する装置全般に適用可能である。例えば、１セグデジタルテレビジョン受信ビューアやデジタル放送受信機能付き携帯電話端末、デジタル放送受信機能付きデジタルカメラ、カーテレビ、デジタル放送受信機能付きＤＶＤ、ネットワーク接続可能な携帯端末等に適用可能である。
【図面の簡単な説明】
【０１００】
【図１】本発明の実施の形態１及び２における携帯端末装置の構成を示すブロック図
【図２】チャンネル情報テーブルを例示する模式図
【図３】携帯端末装置のチャンネル情報テーブルの作成動作を説明するためのフローチャート
【図４】携帯端末装置の選局動作および未割当てのワンタッチキー押下時のチャンネル割当て動作を説明するためのフローチャート
【図５】ワンタッチキー番号割当て前のチャンネル情報テーブルを例示する模式図
【図６】割当て可能チャンネル一覧画面を例示する模式図
【図７】ワンタッチキー番号割当て後のチャンネル情報テーブルを例示する模式図
【図８】実施の形態２における、未割当てのワンタッチキー押下時のチャンネル割当て動作を説明するためのフローチャート
【図９】実施の形態２における、ワンタッチキー番号割当て前のチャンネル情報テーブルを例示する模式図
【図１０】実施の形態２における、ワンタッチキー番号割当て後のチャンネル情報テーブルを例示する模式図
【符号の説明】
【０１０１】
１００    携帯端末装置
１０１    チューナ
１０２    ユーザ入力部
１０３    デマルチプレクサ
１０４    ＡＶデコーダ
１０５    出力部
１０６    選局制御部
１０７    割当て可能チャンネル検出部
１０８    チャンネル情報管理部
１０９    割当て可能チャンネル一覧選択部
【図１】
2007150391.tif 000003
【図２】
2007150391.tif 000004
【図３】
2007150391.tif 000005
【図４】
2007150391.tif 000006
【図５】
2007150391.tif 000007
【図６】
2007150391.tif 000008
【図７】
2007150391.tif 000009
【図８】
2007150391.tif 000010
【図９】
2007150391.tif 000011
【図１０】
2007150391.tif 000012